(57)【要約】【課題】平坦な天井面を容易に形成でき、かつ天井内装面の美観性や、断熱効果、遮音効果にも優れ、さらに工事中の止水性に優れ、また、止め金具と屋根用部材との接合強度を高めることが可能な、屋根用部材および屋根構造を提案する。【解決手段】金属板よりなる、フラット部と、両端に一対の接続端部とを備え、接続端部が、フラット部の一方の端で上方に突設されて、長手方向に連続して延びる接続端支持部と、接続端支持部の上端に連続して形成され、少なくとも上面がフラット部とほぼ平行でかつフラット部の長手方向に延びる平坦面を有する平坦部とからなる雌型および雄型とする。他の屋根用部材と接続端部同士を接続するに際し雌型と他の屋根用部材の雄型が、また、雄型と他の屋根用部材の雌型とが、それぞれ接続可能な形状に構成された屋根用部材とする。これら屋根用部材を用いて屋根構造を形成すると、工事中の止水性に優れるうえ、断熱性、雨音減音性、耐結露性に優れた屋根構造となる。  【選択図】図６
2007211563.tif 000002
【特許請求の範囲】
【請求項１】
金属板よりなり、フラット部と、該フラット部の両端に一対の接続端部とを備える屋根用部材であって、前記接続端部の一方が、前記フラット部の一方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雌型の接続端部であり、前記接続端部の他方が、前記フラット部の他方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雄型の接続端部であり、他の屋根用部材と接続端部同士を接続するに際し前記雌型の接続端部が他の屋根用部材の雄型の接続端部に、前記雄型の接続端部が他の屋根用部材の雌型の接続端部に、それぞれ接続可能な形状に構成されることを特徴とする屋根用部材。
【請求項２】
前記雌型の接続端部および前記雄型の接続端部が、前記接続端支持部と前記平坦部とでほぼＬ字状を呈する断面形状に構成され、かつ、他の屋根用部材の端部同士を接続するに際し、少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されることを特徴とする請求項１に記載の屋根用部材。
【請求項３】
前記雌型の接続端部が、前記平坦部の一部で金属板の重ね合わせ部を有することを特徴とする請求項２に記載の屋根用部材。
【請求項４】
前記雌型の接続端部および前記雄型の接続端部が、他の屋根用部材と端部同士を接続するに際し、雌型の接続端部と雄型の接続端部とを組み合わせた形状が、箱状を成す形状に構成され、かつ少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されてなることを特徴とする請求項１に記載の屋根用部材。
【請求項５】
前記フラット部の両端の間で、前記フラット部に、該フラット部の上方に突設されて、前記フラット部の長さ方向に連続して延びる１条または複数条のリブを有することを特徴とする請求項１ないし４のいずれかに記載の屋根用部材。
【請求項６】
前記リブが、前記フラット部に連続する重ね合わせ部と、該重ね合わせ部の上端に形成され、上面が平坦面である箱状部と、を有することを特徴とする請求項５に記載の屋根用部材。
【請求項７】
梁と、該梁に静置固定される１個または複数個の屋根用部材と、該屋根用部材の上側に積層される断熱材と、該断熱材を覆い屋根の上面を形成する防水用シートとを備える屋根構造であって、前記屋根用部材が、フラット部と、該フラット部の両端に一対の接続端部とを備え、前記接続端部の一方が、前記フラット部の一方の端で上方に突設されて、前記フラット部の長手方向に連続して延びる接続端支持部と、該接続端端支持部の上端に連続して形成され、少なくとも上面が前記フラット部とほぼ平行でかつ該フラット部の長手方向に延びる平坦面を有する平坦部とからなる雌型の接続端部であり、前記接続端部の他方が、前記フラット部の他方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雄型の接続端部であり、他の屋根用部材と接続端部同士を接続するに際し前記雌型の接続端部が他の屋根用部材の雄型の接続端部に、前記雄型の接続端部が他の屋根用部材の雌型の接続端部に、それぞれ接続可能な形状に構成される金属板製であり、前記断熱材が、前記接続端部の前記平坦部に長手方向に所定間隔を隔てて複数の止め手段で固定されてなることを特徴とする屋根構造。
【請求項８】
前記屋根用部材の前記雌型の部材端部および前記雄型の部材端部が、前記部材端支持部と前記平坦部とで断面でほぼＬ字状を呈する形状に構成されることを特徴とする請求項７に記載の屋根構造。
【請求項９】
前記雌型の接続端部が、前記平坦部の一部で金属板の重ね合わせ部を有することを特徴とする請求項８に記載の屋根構造。
【請求項１０】
前記雌型の接続端部および前記雄型の接続端部が、他の屋根用部材と接続端部同士を接続するに際し、雌型の接続端部と雄型の接続端部とを組み合わせた形状が、箱状を成す形状に構成され、かつ少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されてなることを特徴とする請求項７に記載の屋根構造。
【請求項１１】
前記屋根用部材の前記接続端部間で、前記フラット部に、該フラット部の上方に突設されて、前記フラット部の長さ方向に連続して延びる１条または複数条のリブを有することを特徴とする請求項７ないし１０のいずれかに記載の屋根構造。
【請求項１２】
前記リブが、前記フラット部に連続する重ね合わせ部と、該重ね合わせ部の上端に形成され、上面が平坦面である箱状部と、を有することを特徴とする請求項１１に記載の屋根構造。
【発明の詳細な説明】
【技術分野】
【０００１】
本発明は、建築物の屋根や壁に用いて好適な屋根用部材およびそれを用いた屋根構造に係り、とくに平坦な天井を安価に形成できる屋根用部材および屋根構造に関する。
【背景技術】
【０００２】
屋根や壁は、建築物の主要な部位をしめており、複雑で厳しい機能が求められている。従来から、屋根用部材として、薄肉の金属板が平板のまま、あるいは複雑な形状に加工されて用いられている。とくに、工場、倉庫等の屋根には、波型に折り曲げた形状の金属製折板を用いた屋根材が用いられることが多い。
例えば、特許文献１には、梁に図８に示すような波型に折り曲げた形状の金属製折板20の上に、耐火材21、断熱材22および防水層23を順次積層してなる屋根構造1が提案されている。特許文献１に記載された技術では、金属製折板20の上に耐火材21と断熱材22を敷き詰めて、断熱材22の上から、頭部に円盤状のディスク盤を設けた固定金具24（ビス）を用いて金属製折板20に機械的に固定し、次に、断熱材22の上に防水シート（層）23を敷設してディスク盤表面と防水シート裏面を接着して屋根構造を形成している。
【０００３】
しかしながら、特許文献１に示された屋根構造では、天井などの内装面が複雑であり、しかも取り付け用の固定金具が天井裏などの内側面に露出して、室内からの美観上問題があった。
このような問題に対し、例えば特許文献２には、図９に示すような屋根・壁用部材が提案されている。また、特許文献３には、図１０に示すような屋根構造が提案されている。特許文献２、特許文献３に記載された技術によれば、平坦な天井面を安価に形成でき、室内から見える天井内装面の美観性に優れ、しかも断熱効果や遮音効果に優れた屋根構造となるとしている。
【特許文献１】特開平８−246609号公報
【特許文献２】特開2005−76364号公報
【特許文献３】特開2005−171623号公報
【発明の開示】
【発明が解決しようとする課題】
【０００４】
しかしながら、特許文献３に記載された技術では、屋根用部材の幅方向端部同士を突き合わせて接続する接続端の位置が、屋根用部材の下側、すなわちフラット部と略同レベルにあるため、とくに工事中に降雨があると、フラット部の上に雨水が溜まり易く、しかも溜まった雨水が接続端間のわずかな隙間から漏れる場合があるという問題があった。さらに、特許文献３に記載された技術では、屋根の軽量化要求に対応して、屋根用部材の構成材料である金属板の板厚を薄くしすぎると、断熱材を固定する止め具と金属板との間の接合強度が低下するという問題があった。
【０００５】
本発明は、上記した従来技術の問題を解決し、平坦な天井面を容易に形成でき、かつ天井内装面の美観性や、断熱効果、遮音効果にも優れ、さらに工事中の止水性に優れ、また、止め金具と屋根用部材との接合強度を高めることが可能な、屋根用部材および屋根構造を提案することを目的とする。
【課題を解決するための手段】
【０００６】
本発明者らは、上記した目的を達成するために、屋根用部材の接続端の形状について、鋭意研究した。その結果、接続端をフラット部より高い位置に配設し、断熱材の受け部と共用とすることがよいことに想到した。これにより、工事中の止水性は問題なくなる。そして、さらに、断熱材の止め金具と屋根用部材との接合強度を高めるために、屋根用部材の断熱材受け部相当位置で金属板が重なり合う構造とすることがよいことに思い至った。本発明は、上記した考えに基づき、さらに検討を加えて完成されたものである。
【０００７】
すなわち、本発明の要旨はつぎのとおりである。
（１）金属板よりなり、フラット部と、該フラット部の両端に一対の接続端部とを備える屋根用部材であって、前記接続端部の一方が、前記フラット部の一方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雌型の接続端部であり、前記接続端部の他方が、前記フラット部の他方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雄型の接続端部であり、他の屋根用部材と接続端部同士を接続するに際し前記雌型の接続端部が他の屋根用部材の雄型の接続端部に、前記雄型の接続端部が他の屋根用部材の雌型の接続端部に、それぞれ接続可能な形状に構成されることを特徴とする屋根用部材。
【０００８】
（２）（１）において、前記雌型の接続端部および前記雄型の接続端部が、前記接続端支持部と前記平坦部とでほぼＬ字状を呈する断面形状に構成され、かつ、他の屋根用部材の端部同士を接続するに際し、少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されることを特徴とする屋根用部材。
【０００９】
（３）（２）において、前記雌型の接続端部が、前記平坦部の一部で金属板の重ね合わせ部を有することを特徴とする屋根用部材。
（４）（１）において、前記雌型の接続端部および前記雄型の接続端部が、他の屋根用部材と端部同士を接続するに際し、雌型の接続端部と雄型の接続端部とを組み合わせた形状が、箱状を成す形状に構成され、かつ少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されてなることを特徴とする屋根用部材。
【００１０】
（５）（１）ないし（４）のいずれかにおいて、前記接続端の間で、前記フラット部に、該フラット部の上方に突設されて、前記フラット部の長さ方向に連続して延びる１条または複数条のリブを有することを特徴とする屋根用部材。
（６）（５）において、前記リブが、前記フラット部に連続する重ね合わせ部と、該重ね合わせ部の上端に形成され、上面が平坦面である箱状部と、を有することを特徴とする屋根用部材。
【００１１】
（７）梁と、該梁に静置固定される１個または複数個の屋根用部材と、該屋根用部材の上側に積層される断熱材と、該断熱材を覆い屋根の上面を形成する防水用シートとを備える屋根構造であって、前記屋根用部材が、フラット部と、該フラット部の両端に一対の接続端部とを備え、前記接続端部の一方が、前記フラット部の一方の端で上方に突設されて、前記フラット部の長手方向に連続して延びる接続端支持部と、該接続端端支持部の上端に連続して形成され、少なくとも上面が前記フラット部とほぼ平行でかつ該フラット部の長手方向に延びる平坦面を有する平坦部とからなる雌型の接続端部であり、前記接続端部の他方が、前記フラット部の他方の端で上方に突設されて、前記フラット部の長手方向に連続して延びる接続端支持部と、該接続端支持部の上端に連続して形成され、少なくとも上面が前記フラット部とほぼ平行でかつ該フラット部の長手方向に延びる平坦面を有する平坦部とからなる雄型の接続端部であり、他の屋根用部材と接続端部同士を接続するに際し前記雌型の接続端部が他の屋根用部材の雄型の接続端部に、前記雄型の接続端部が他の屋根用部材の雌型の接続端部に、それぞれ接続可能な形状に構成される金属板製であり、前記断熱材が、前記接続端部の前記平坦部に長手方向に所定間隔を隔てて複数の止め手段で固定されてなることを特徴とする屋根構造。
【００１２】
（８）（７）において、前記雌型の接続端部および前記雄型の接続端部が、前記接続端支持部と前記平坦部とでほぼＬ字状を呈する断面形状に構成され、かつ、他の屋根用部材と接続端部同士を接続するに際し、少なくとも前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されることを特徴とする屋根構造。
【００１３】
（９）（８）において、前記雌型の接続端部が、前記平坦部の一部で金属板の重ね合わせ部を有することを特徴とする屋根構造。
（１０）（７）において、前記雌型の接続端部および前記雄型の接続端部が、他の屋根用部材と接続端部同士を接続するに際し、雌型の接続端部と雄型の接続端部とを組み合わせた形状が、箱状を成す形状に構成され、かつ少なくとも、前記雌型の接続端部の平坦部が他の屋根用部材の雄型の接続端部の平坦部と、前記雄型の接続端部の平坦部が他の屋根用部材の雌型の接続端部の平坦部とそれぞれ重なり合う形状に構成されてなることを特徴とする屋根構造。
【００１４】
（１１）（７）ないし（１０）のいずれかにおいて、前記屋根用部材の前記接続端部間で、前記フラット部に、該フラット部の上方に突設されて、前記フラット部の長さ方向に連続して延びる１条または複数条のリブを有することを特徴とする屋根構造。
（１２）（１１）において、前記リブが、前記フラット部に連続する重ね合わせ部と、該重ね合わせ部の上端に形成され、上面が平坦面である箱状部と、を有することを特徴とする屋根構造。
【発明の効果】
【００１５】
本発明によれば、天井の内装面の美観性および断熱効果に優れ、しかも遮音性にも優れた軽量の陸屋根を安価に構成することができ、かつ特別な止水工事を施すことなく工事中の止水性をさらに高めることができ、しかも止め金具と屋根用部材との接合強度を高めることが可能となり、産業上格段の効果を奏する。
【発明を実施するための最良の形態】
【００１６】
本発明の屋根用部材は、金属板で構成される。金属板としては、とくに限定されるものではないが、めっき鋼板、あるいはステンレス鋼板、塩化ビニル樹脂被覆鋼板などの鋼板、あるいはアルミニウム板等の非鉄金属板がいずれも好適に使用できる。また、めっき鋼板としては、耐食性の観点から亜鉛めっき鋼板とすることが好ましい。
本発明の屋根用部材の一例を、図１に示す。図１（ａ）は斜視図、図１（ｂ）は幅方向断面図である。本発明の屋根用部材１は、フラット部11と、接続端12とを備える。接続端12は、雌型の接続端部12ａと雄型の接続端部12ｂとからなる一対で構成される。
【００１７】
雌型の接続端部12ａは、フラット部11の一方の端で上方に突設されて、フラット部11の長手方向に連続して延びる接続端支持部121aと、接続端支持部121aの上端に連続して形成される平坦部12a1とからなる。雌型の接続端部12ａにおける平坦部12a1は、上面がフラット部11とほぼ平行でかつフラット部11の長手方向に延びる平坦面122aを有し、しかも接続端支持部121aの上端と反対側の端に雄型の接続端部12ｂの平坦部12b1の端を抑えるための張出し12a2を有することが好ましい。
【００１８】
雄型の接続端部12ｂは、雌型と同様にフラット部11の一方の端で上方に突設されて、フラット部11の長手方向に連続して延びる接続端支持部121bと、接続端支持部121bの上端に連続して形成される平坦部12b1とからなる。雄型の接続端部12ｂにおける平坦部12b1は、上面がフラット部11とほぼ平行でかつフラット部11の長手方向に延びる平坦面122bを有する。
【００１９】
接続端12における雌型と雄型は、屋根用部材同士を突き合わせて幅方向に接続する際に、雌型の接続端部12aが他の屋根用部材の雄型の接続端部12bに、雄型の接続端部12bが他の屋根用部材の雌型の接続端部12aに、それぞれ接続可能な形状に構成される。図１（ｃ）に接続時の状態を模式的に示す。
雌型および雄型の接続端部の形状は、一方の屋根用部材の雄型の接続端支持部121bと他方の雌型の接続端支持部121aとを突き合わせ、雄型の平坦部12b1が、雌型の平坦部12a1の下側に重なり合うことができる形状とすることが好ましい。これにより、屋根用部材を幅方向に連続して接続することができ、平坦部を断熱材受け部とすることができ、かつ接続時に金属板が二枚重なり合う構造となり、金属板一枚の場合に比べ、断熱材の止め具と金属板との接合強度（引抜き強度）を増加させることができる。このような接続形式を構成できるように、雄型、雌型の平坦部長さ、雄型、雌型の接続端支持部の寸法を適宜決定することはいうまでもない。
【００２０】
なお、図１では、雌型および雄型の接続端部を、接続端支持部121b，121aと平坦部12b1，12a1とがほぼＬ字状を呈する断面形状に構成された例を示すが、本発明ではこれに限定されるものではない。
図２に、接続端形状の他の例を断面図で示す。図２に示す例は、平坦部12a1，12b1を有し、さらに接続端支持部121a，121bを平板形状でなく折れ曲がりを有する形状とし、雌型の接続端部12aと雄型の接続端部12bとを組み合わせ状態で箱状を成す形状になるように、雌部、雄部の接続端部の形状を構成した例である（図２（ａ））。図２（b）に，雄型の接続端部12bと雌型の接続端部12aとを組み合わせた状態を断面図で示す。雌型の接続端部12aと雄型の接続端部12bとも、平坦部12a1,12b1を有し、それらが組み合わせた際に、少なくとも、雌型の接続端部の平坦部が雄型の接続端部の平坦部と重なり合う形状に構成されることが好ましい。
【００２１】
図３に、接続端形状の他の例を断面図で示す。図３に示す例は、平坦部12a1，12b1を有し、さらに接続端支持部121a，121bと平坦部12b1，12a1とがほぼＬ字状を呈するとともに、雌部の平坦部12a1の一方の端12a3が金属板を密着状態に折り曲げた断面形状に構成された例である。雄部の接続端部の形状は、図１の例と同様とした。このような構造にすることにより、金属板が２枚重なり合う構造となり、構造上、強度増加が図れる。
【００２２】
また、本発明の屋根用部材は、フラット部11に一条あるいは複数条のリブを備えてもよい。リブ13は、フラット部11の上方に突設され、フラット部11の長手方向に連続して延びる条として配設される。リブ13は、二枚の金属板を重ね合わせてなる重ね合わせ部13aと、重ね合わせ部13aの上端に上面が平坦な箱状部13bを有する。重ね合わせ部13aはフラット部11に連続して形成される。リブ13を一条、備えた例を断面図で図４に示す。なお、本発明ではリブは一条に限定されないことはいうまでもない。また、図４に示す箱状部13bは、横断面形状が三角形を呈しているが、本発明ではこれに限定されるものではない。三角形以外の四角形、五角形等の、上面が平坦な多角形状としてもよい。なお、重ね合わせ部13aは、長さ方向に所定の間隔をおいて、スポット溶接あるいは打抜き等により点接合してもよい。これにより、荷重が負荷されたときに重ね合わせ部が開くという問題は少なくなる。
【００２３】
本発明の屋根用部材の高さ、すなわち、接続端部12a,12bおよびリブ13の高さは50〜150mmの範囲内の高さＨを有することが好ましい。高さＨが50mm未満では、空気層の形成が少なく、断熱効果が少ない。一方、150mmを超えて高くなると、外圧荷重により変形しやくすくなるとともに、特性向上効果が飽和して使用する材料量に見合う部材特性の向上が得られなくなり、経済的に不利となる。
【００２４】
また、本発明の屋根用部材の幅方向長さは、とくに限定されないが、リブ13が配設されない場合には、雌型の接続端部および雄型の接続端部の間の間隔Ｗ（接続端支持部間隔）は、100〜600mmの範囲内とすることが好ましい。間隔が100mm未満では、屋根構造とする際に接続部が多くなり施工能率が低下するとともに、部材使用量が多くなり部材コストの高騰を招く。一方、600mmを超えて大きくなると、外圧荷重に対し変形しやすくなり、部材強度の低下を招く。リブ13を、幅方向に配設す場合には、リブと接続端（重ね合わせ部と接続端支持部との間隔）、あるいはリブ間の間隔Ｗ（重ね合わせ部間の距離）は、同様に100〜600mmの範囲内とすることが好ましい。間隔が100mm未満では、部材構成に必要な材料量が増加しすぎて部材コストの高騰を招く。なお、図４に示す例は、リブが１条の場合の例であるが、本発明ではこれに限定されなるものではないことはいうまでもない。
【００２５】
なお、リブ間隔が大きくなり、部材強度が低下する恐れのある場合には、補強用として、図５に示すようなリブ間に１つ以上のサブリブ14を設けてもよい。サブリブ14の高さ、個数、間隔は、部材強度の向上程度に応じ適宜選択でき、とくに限定されるものではない。
また、本発明の屋根用部材では、フラット部11は、必ずしもその面が平面である必要はなく、曲面としてもよく、また表面に凹凸模様を付与してもよい。また、本発明の屋根用部材では、強度補強の観点から、フラット部11、接続端部12およびリブ13のいずれかあるいは全てにエンボス加工を施すこともできる。
【００２６】
上記した構成の屋根用部材の製造方法は、とくに限定されるものではないが、つぎのような方法で製造されることが好ましい。
金属板に、ロール成形加工により、幅方向にフラット部と、必要に応じ一条または所定間隔に設定した複数条のリブと、さらに両幅端における接続端部とを形成する工程と、剪断加工により所定長さの部材とする工程とにより、製品（屋根用部材）とされる。
【００２７】
このようにして得られた上記した構造の本発明の屋根用部材１を１個または必要に応じて幅方向に複数個接続し、あるいはさらに屋根用部材を長さ方向に突き合わせて、所望の大きさ（幅×長さ）の屋根構造を形成することができる。そして、屋根用部材１の上側で、接続端部12a,12bの平坦部、あるいはリブ13の箱状部の上面を受け部として、所望厚さの断熱材２を積層し、さらに断熱材２を覆うように防水シート３を重ね、屋根面を形成する。なお、断熱材の下側に所定厚さの断熱材や下地ボード材を積層しても何ら問題はない。この状況を、図１〜図３に示した屋根用部材に対応して図６（ａ）〜（ｃ）に模式的に示す。
【００２８】
断熱材２は、長手方向に所定間隔を隔てて止め手段４である複数の止め具4bで、屋根用部材の接続端部12a,12bの組み合わせ部、あるいはさらにリブ13に固定される。断熱材２は、固定金具4aを介して止め具4bで固定されることが好ましい。なお、止め具4bは、ヒートバランスの観点から、突き出し長さが10〜20mmとなるように止めることが好ましい。止め具の突き出し長さが10mm未満では、結露発生の危険性が高くなるとともに、固定の安定性に不安が残る。一方、20mmを超えると、止め具コストが高くなる。なお、断熱材は、フラット部11上に所定の厚さ積層してもよい。
【００２９】
なお、本発明の屋根用部材を用いた屋根構造では、断熱材２を固定する止め具4bは金属板が２枚重なり合う構造となっている位置で使用される。これにより、接合強度は１枚の場合の約２倍に増加するという効果がある。
なお、断熱材２や下地ボード材としては、硬質ウレタンボード、発砲スチレンボード、ガラス繊維ボード、ロックウールボード、木片セメント板、木毛セメント板、フェノール樹脂系ボード等が例示できる。また、屋根面を形成する防水シート３は、塩化ビニル系シート、アスファルト系シート、ゴム系シート、エチレンプロパレン系シート、金属板等の材料とすることが好ましい。なお、防水シート３の重ね合わせ部や、防水シート３と下層の材料（例えば、デスク４ａ）との接合は、熱、溶剤、はぜ締め、接着剤等により行うことが好ましい。
【００３０】
上記した屋根構造とすることにより、施工後はもちろんとくに工事中の止水性が顕著に向上するとともに、断熱材２の下層に、対流が生じにくい所定量の空気層を確保でき、断熱効果が顕著に向上し、省エネルギーに貢献できる。また、フラット部により天井面を平坦に形成できるという効果がある。また、断熱材をフラット部11上に積層することにより、断熱性、遮音性がさらに向上する。
【００３１】
また、より広い屋根空間を構成するために、屋根部材１同士を、長さ方向端部で突き合せる場合に、本発明の屋根構造では、図７（ａ）に示すように、屋根用部材１の端部同士の突合せ部101の下側近傍が、屋根用部材１の下側と梁50との間にシーリング材５を配設した構成を有することが好ましい。これにより、水密性・気密性が向上し突合せ部からの水漏れを防止することができ、施工後の防水はもちろん工事中の止水を効果的に行うことができる。シーリング材としては、水密性・気密性を有する不定形の材料、あるいは水密性・気密性を有するテープ状材料とすることが好ましい。シーリング材の材質としてはブチルゴム系、アスファルト瀝青材系、あるいはウレタン系、変性シリコン系とすることが好ましい。なお、シーリング材の厚さは、0.5〜1.5 mm程度とすることが好ましい。
【００３２】
また、図７（ｂ）に示すように、屋根用部材の端部同士の突合せ部101の下側近傍が、屋根用部材の下側から梁50との間にシーリング材５と高さ調整材６とをこの順に配設した構成を有することが好ましい。梁50がハイテンボルト等による継手部を有する場合には梁上面の高さが一定とならないため、梁50と屋根用部材１との間に、Ｃ型チャンネル等の高さ調整材６を介してシーリング材５を配置することが好ましい。
【実施例】
【００３３】
（実施例１）
JIS G 3302に規定される溶融亜鉛めっき鋼板SGC 490（板厚：0.8mm）を用いて図６（ｂ）に示す形状の屋根用部材（本発明例）を作製した。屋根用部材１は、めっき鋼板に、ロール成形加工により、幅方向にフラット部11と、所定間隔Ｗを隔てて１条の高さＨのリブ13と、さらに両幅端に図２に示すような雄型の接続端部12b、雌型の接続端部12aを形成し、さらに、剪断加工により最大長さ（８ｍ）に切断して使用した。この屋根用部材１同士を、雄型の接続端部12bと雌型の接続端部12aを組み合わせることにより、幅方向に接続した。これらを、梁50に載置して図６（ｂ）に示すような屋根構造10を構成した。なお、屋根用部材１の上に、ボード状の断熱材２（厚み：30mm）を積層し、ディスク4aを介して止め具（ビス）4bで、接続端部12a,12bの組み合わせ部、およびリブ13の箱状部13bに固定した。ついで、断熱材２を塩化ビニル系防水材（シート：厚さ1.5mm）３で覆い、屋根を形成し本発明例とした。なお、ディスク4ａの表面と防水シート３の裏面とを接着材で固定した。なお、リブと接続端部の幅方向の間隔Ｗを200mm、高さＨを100mm、止め具突き出量Ｉを20mmとした。
【００３４】
なお、図10に示す屋根構造を従来例とした。使用した金属板、断熱材の種類、厚さ、止め具の大きさ等は本発明例と同様した。
上記した構造の屋根構造について、工事中の止水性、止め具（ビス）の引抜強度、断熱性、雨音減音効果、耐結露性を評価した。止め具の引抜強度は、引抜試験により求め、従来例を基準（1.0）として相対評価した。断熱性は、熱量流量を計算により求め、従来例を基準（○）にしてそれより優れている場合を◎、それより劣る場合を△とした。また、雨音減音効果は、人工的に降雨を実行し、その際の室内での平均音圧を測定し、従来例を基準（○）にして、それより優れる場合を◎、それより劣る場合を△とした。また、耐結露性は、外気温を−３℃、室内温度を15℃、室内湿度を50％の条件で、従来例を基準（○）としてそれより優れる場合を◎、それより劣る場合を△として評価した。また、断熱材を積層する前に、人工的に降雨を実行し、その際の雨量（フラット部に溜まる雨水のフラット面からの深さが10mm、20mm、50mm、100mmとなる雨量及び100mm超に相当する雨量に調整）と室内への漏れ状況の関係を調査し、漏れ発生時の雨量を求め、工事中の止水性を評価した。
【００３５】
得られた結果を表１に示す。
【００３６】
【表１】
2007211563.tif 000003
【００３７】
表１から、本発明例は従来例と同等の断熱性、雨音減音効果、耐結露性を有し、さらに優れた工事中止水性、止め具と屋根用部材の接合強度（止め具の引抜強度）を有する屋根構造となっている。
【図面の簡単な説明】
【００３８】
【図１】本発明の屋根用部材の一例を模式的に示す説明図である。（ａ）は、斜視図、（ｂ）は、幅方向断面図である。（ｃ）は、雌型の接続端部と雄型の接続端部とを組み合わせた状態を示す断面図である。
【図２】（ａ）は、本発明の屋根用部材の他の一例を模式的に示す断面図である。（ｂ）は、雌型の接続端部と雄型の接続端部とを組み合わせた状態を示す断面図である。
【図３】（ａ）は、本発明の屋根用部材の他の一例を模式的に示す断面図である。（ｂ）は、雌型の接続端部と雄型の接続端部とを組み合わせた状態を示す断面図である。
【図４】本発明の屋根用部材の他の一例を模式的に示す断面図である。
【図５】本発明の屋根用部材の他の一例を模式的に示す断面図である。
【図６】本発明の屋根構造の一例を模式的に示す断面図である。
【図７】本発明の屋根構造の一例を模式的に示す長手方向断面図である。
【図８】従来の屋根用部材である波型屋根用部材を用いた屋根構造の一例を示す断面図である。
【図９】従来の屋根用部材の他の一例を示す、（ａ）斜視図、（ｂ）断面図である。
【図１０】従来の屋根構造の他の一例を示す断面図である。
【符号の説明】
【００３９】
１  屋根用部材
５  シーリング材
６  高さ調整材
10  屋根構造
11  フラット部  
12  接続端部
12a  雌型の接続端部
12b  雄型の接続端部
121a、121b  接続端支持部
12a1、12b1  平坦部
12a2  張出し
122a、122b  平坦面
13  リブ
13a  重ね合わせ部  
13b  箱状部  
14   サブリブ
20   金属製折板
21  耐火材
22  断熱材
23  防水シート（層）
24  固定金具（ビス）
25  ディスク盤
50  梁
101 突合せ部
【図１】
2007211563.tif 000004
【図２】
2007211563.tif 000005
【図３】
2007211563.tif 000006
【図４】
2007211563.tif 000007
【図５】
2007211563.tif 000008
【図６】
2007211563.tif 000009
【図７】
2007211563.tif 000010
【図８】
2007211563.tif 000011
【図９】
2007211563.tif 000012
【図１０】
2007211563.tif 000013